(57)【特許請求の範囲】
【請求項１】
ホチキス針を取りはずす針除去金具を付設した該金具を介して除去したホチキス針を吸着する針吸着磁石金具を備えた除去針収納ボックスと、該収納ボックスから落下させて順次円形磁石に吸着させる除去針収納ケースとからなり、前記除去針収納ボックス内に磁石金具係止弾材を装着し、該係止弾材を介して針吸着磁石金具の挿脱を自在かつ保持させるとともに、前記除去針収納ボックスと除去針収納ケースとを一体成型若しくは着脱自在にしたことを特徴とするホチキス針除去収集用具。
【請求項２】
請求項１記載の除去針収納ボックスに除去針落下口を設け、該落下口を介して除去針収納ケースに順次ホチキス針を落下させる請求項１記載のホチキス針除去収集用具。
【請求項３】
請求項１記載の除去針収納ケースが、除去針収納ボックスと連着ワッカーを介して着脱自在に螺着しかつ連着ワッカーを介して円形磁石を内装した着脱蓋で螺着してなる請求項１記載のホチキス針除去収集用具。
【請求項４】
請求項１乃至３の何れか１項に記載のホチキス針除去収集用具を水平状態で、かつ前方向に除去するホチキス針に差し込み押し出してホチキス針を取りはずすことを特徴とするホチキス針除去収集用具。
【請求項５】
請求項４記載の方法で除去したホチキス針を針吸着磁石金具に吸着させ、かつ一定量の除去針を吸着されたならば針吸着磁石金具を引き抜いて除去針収納ケースに落下させる請求項４記載のホチキス針除去収集用具。
【請求項６】
請求項１乃至３の何れか１項に記載のホチキス針除去収集用具の大きさ・形状の異るものを成型し、該数種のホチキス針除去収集用具とホチキス本体とをセットにしてケースに収納することを特徴とするホチキス針除去収集用具。
【発明の詳細な説明】
【０００１】
【発明の属する技術分野】
本発明はホチキスに関するが、詳しくはホチキス針を取りはずし集めて処理するホチキス針除去収集用具に関するものである。
【０００２】
【従来の技術】
従来の手動式簡易ホチキスは、例えば図１３に示すようなものが一般的に使用されている。この従来のホチキス本体２１は、ホチキス上材部２２とホチキス下材部２４との間にホチキス針Ａの針収納ケース２３とを支軸２７を介して装着されている。また、ホチキス下材部２４の突端には針除去部２６が形成されている。このように構成されている従来のホチキス本体２１は、ホチキス上材部２２とホチキス下材部２４との間に所望の書面等を差し込み片手の指で挟持して針止着部２５にてホチキス止めする方式の手動式簡易ホチキスである。そして、ホチキス止めされた後にホチキス針Ａを取り除く場合は、ホチキス下材部２４の突端に有する針除去部２６を介して１個づつ除去されている。その際、除去されたホチキス針Ａが周囲に飛び散ったり落下して床やジュータンなどに散乱されることになる。このホチキス針Ａの散乱によって手足のケガの元になったり、また掃除機などで室内の床などを掃除されてもホチキス針Ａを取り除くことが困難・不可能になっていた。
【０００３】
更に、飛び散ったホチキス針ＡがワープロやパソコンなどのＯＡ機器に飛び散り機械器具の故障原因にもなっていた。特に、１本のホチキス針Ａによって高精能なＯＡ機器の操作ミスや故障の原因となり、高価なＯＡ機器に多くの支障を期たしていた。
【０００４】
【発明が解決しようとする課題】
かかる従来の手動式簡易ホチキスによって生じていた問題点を解決するところに、本発明が解決しようとする課題を有する。
【０００５】
【課題を解決するための手段】
本発明は上記の如き課題を解決するために開発したものであって、ホチキス針を取りはずす針除去金具を付設した該金具を介して除去したホチキス針を吸着する針吸着磁石金具を備えた除去針収納ボックスと該収納ボックスから落下させて順次円形磁石に吸着させる除去針収納ケースとからなり、前記除去針収納ボックス内に磁石金具係止弾材を装着し、該係止弾材を介して針吸着磁石金具の挿脱を自在かつ保持させるとともに、前記除去針収納ボックスと除去針収納ケースとを一体成型若しくは着脱自在にしたことを特徴とするホチキス針除去収集用具の提供にあり、また前記の除去針収納ボックスに除去針落下口を設け該落下口を介して除去針収納ケースに順次ホチキス針を落下させるホチキス針除去収集用具の提供にあり、更に前記の除去針収納ケースが除去針収納ボックスと連着ワッカーを介して着脱自在に螺着しかつ連着ワッカーを介して円形磁石を内装した着脱蓋で螺着してなるホチキス針除去収集用具の提供にある。
【０００６】
また本発明は、前記のホチキス針除去収集用具を水平状態でかつ前方向に除去するホチキス針に差し込み押し出してホチキス針を取りはずすことを特徴とするホチキス針除去収集用具であり、また前記の方法で除去したホチキス針を針吸着磁石金具に吸着させかつ一定量の除去針を吸着されたならば針吸着磁石金具を引き抜いて除去針収納ケースに落下させるホチキス針除去収集用具である。
【０００７】
更に本発明は、前記のホチキス針除去収集用具の大きさ・形状の異るものを成型し該数種のホチキス針除去収集用具とホチキス本体とをセットにしてケースに収納することを特徴とするホチキス針除去収集用具の提供にある。
【０００８】
【発明の実施の形態】
本発明の実施形態は、ホチキス針を取りはずす針除去金具を付設した該金具を介して除去したホチキス針を吸着する針吸着磁石金具を備えた除去針収納ボックスと該収納ボックスから落下させて順次円形磁石に吸着させる除去針収納ケースとからなり、前記除去針収納ボックスと除去収納ケースとを一体成型若しくは着脱自在にしたことを特徴とするホチキス針除去収集用具であり、また前記の除去針収納ボックス内に磁石金具係止弾材を装着し該係止弾材を介して針吸着磁石金具の挿脱を自在かつ保持させるホチキス針除去収集用具であり、また前記の除去針収納ボックスに除去針落下口を設け該落下口を介して除去収納ケースに順次ホチキス針を落下させるホチキス針除去収集用具であり、更に前記の除去収納ケースが除去針収納ボックスと連着ワッカーを介して着脱自在に螺着しかつ連着ワッカーを介して円形磁石を内装した着脱蓋で螺着してなるホチキス針除去収集用具であるから、従来の手動式簡易ホチキスでホチキス止めされたホチキス針を完全かつ確実に除去して収集することが可能となるホチキス本体とは別用具を設けることによって、従来問題になっていた課題をすべて解決することができる。
【０００９】
また本発明の実施形態は、前記のホチキス針除去収集用具を水平状態でかつ前方向に除去するホチキス針に差し込み押し出してホチキス針を取りはずすことを特徴とするホチキス針除去収集用具であり、また前記の方法で除去したホチキス針を針吸着磁石金具に吸着させかつ一定量の除去針を吸着されたならば針吸着磁石金具を引き抜いて除去針収納ケースに落下させるホチキス針除去収集用具であり、更に前記の方法で除去針収納ケース内に除去されたホチキス針が一定量収納されたならば除去針収納ケースの着脱蓋を開封して除去針収納ケース内のホチキス針をゴミ箱等の容器に処理するホチキス針除去収集用具であるから、取り扱いもいたって簡便でありしかも安全かつスムーズに操作することができるので大変便利である。
【００１０】
更に本発明の実施形態は、前記のホチキス針除去収集用具の大きさ・形状の異るものを成型し該数種のホチキス針除去収集用具とホチキス本体とをセットにしてケースに収納することを特徴とするホチキス針除去収集用具であるから、所望のホチキス針の大きさ・形状はもとより除去するホチキス針の量にも合わせて使用することができる。
【００１１】
【実施例】
以下、図面に従って本発明の実施例について説明する。
図１から図３までは、本発明のホチキス針除去収集用具を示したものであり、１はそのホチキス針除去収集用具本体である。ホチキス針除去収集用具本体１は、図２からも明らかのように除去針収納ボックス２と除去針収納ケース５とから構成させている。除去針収納ボックス２は、先端部に従来のホチキスにも付いているホチキス針を取りはずすための針除去金具３が付設されており、他端にはねじ部が形成されている。除去針収納ケース５は、両端にねじ部が形成されており一端部分は連着ワッカー６を介して除去針収納ボックス２と着脱自在となるように螺合し、他端は連着ワッカー７を介して着脱蓋９が着脱自在になるように螺合されている。この着脱蓋９には円形磁石８が内装されている。４は除去針収納ボックス２の上方先端部分に備えた針吸着磁石金具であり、図３に示すように磁石金具係止弾材１０で挿脱を自在にするとともに、挿入時に保持されるように形成されている。また、１２は針吸着磁石金具４を挿脱するための挿入穴である。前記磁石金具係止弾材１０は、硬質なゴム製素材の中央に切込みを入れ針吸着磁石金具４を挿入穴１２から挿入すればゴムの弾性により針吸着磁石金具４は除去針収納ボックス２に固定されるような状態で保持され、一方針吸着磁石金具４を抜き出すとゴムの弾性により磁石の部分を押さえるようにして引き抜くことができるとともに、切り込み部分で小穴をふさぐことができる。なお、１１は除去収納ボックス２の他端部に形成されている除去針落下口であり、除去針収納ボックク２に収納された除去後のホチキス針を除去針収納ケース５に落下させるための穴である。
【００１２】
次に図４から図９により、本発明からなるホチキス針除去収集用具の使用方法について説明する。まず、図４に示すように本発明のホチキス針除去収集用具本体１の除去針収納ケース５を片手に持って用紙Ｂに止められているホチキス針Ａに向けて手前から針除去金具３を水平な状態でもって差し込みそのままスライド状に押し出すようにすれば、図５と図６に示すように除去されたホチキス針Ａは除去針収納ボックス２内にそのままの状態で移り針吸着磁石金具４に吸着される。ついで、針吸着磁石金具４を上の方に引き抜けば図６に示すように除去されたホチキス針Ａは針吸着磁石金具４から除去されて除去針収納ケース５の方に落下することになる。その際、ホチキス針除去収集用具本体１を垂直状態にすること除去針収納ケース５の着脱蓋９の部分を軽くたたくことが必要となる。このようにして、除去されたホチキス針Ａが除去針収納ケース５の底部に収納されると円形磁石８の磁力によって図７と図８に示すようなホチキス針Ａは順次底部に引きつけられるので、さかさまな状態にしても元に戻るようなことはない、なお、除去針収納ケース５に収納されたホチキス針Ａは、図９に示すように着脱蓋９を取りはずしてゴミ箱Ｗのような容器に捨てて処理する。
【００１３】
更に図１０から図１２により、本発明からなるホチキス針除去収集用具の成型方法とその収納方法について説明する。まず、図１０に（ａ）（ｂ）示すようにサイズの異なるホチキス針除去収集用具本体１を成型し、更に大きさ・形状の異なる除去針収納ケース５をセットし、いかなるホチキス針Ａにも対応することができるようにする。また、除去針収納ボックス２の形状とデザイン・色彩などを変えることによってグッドデザインの製品をセットすることも可能となる。また、ホチキス針除去収集用具本体１をプラスチック素材を用い一体成型して低コストで使い捨ての製品にすることも可能である。なお、図１０の（ｃ）は除去針収納ボックス２にストラップＳを付けて持ちはこびや保管が便利のようにしてある。また、図１１はホチキス針除去収集用具本体１を収納するための用具収納ケースＰを示したものであり、図１２は大小さまざまなホチキス針除去収集用具本体１とホチキス本体Ｔとをセットにした収納ケースＫに収納セットする状態を示したものである。
【００１４】
【発明の効果】
本発明は、ホチキス針を取りはずす針除去金具を付設した該金具を介して除去したホチキス針を吸着する針吸着磁石金具を備えた除去針収納ボックスと該収納ボックスから落下させて順次円形磁石に吸着させる除去針収納ケースとからなり、前記除去針収納ボックスと除去収納ケースとを一体成型若しくは着脱自在にしたことを特徴とするホチキス針除去収集用具であり、また前記の除去針収納ボックス内に磁石金具係止弾材を装着し該係止弾材を介して針吸着磁石金具の挿脱を自在かつ保持させるホチキス針除去収集用具であり、また前記の除去針収納ボックスに除去針落下口を設け該落下口を介して除去収納ケースに順次ホチキス針を落下させるホチキス針除去収集用具であり、また前記の除去収納ケースが除去針収納ボックスと連着ワッカーを介して着脱自在に螺着しかつ連着ワッカーを介して円形磁石を内装した着脱蓋で螺着してなるホチキス針除去収集用具である。
【００１５】
また本発明は、前記のホチキス針除去収集用具を水平状態でかつ前方向に除去するホチキス針に差し込み押し出してホチキス針を取りはずすことを特徴とするホチキス針除去収集用具であり、また前記の方法で除去したホチキス針を針吸着磁石金具に吸着させかつ一定量の除去針を吸着されたならば針吸着磁石金具を引き抜いて除去針収納ケースに落下させるホチキス針除去収集用具であり、また前記の方法で除去針収納ケース内に除去されたホチキス針が一定量収納されたならば除去針収納ケースの着脱蓋を開封して除去針収納ケース内のホチキス針をゴミ箱等の容器に処理するホチキス針除去収集用具である。
【００１６】
更に本発明は、前記のホチキス針除去収集用具の大きさ・形状の異るものを成型し該数種のホチキス針除去収集用具とホチキス本体とをセットにしてケースに収納することを特徴とするホチキス針除去収集用具であるから、次のような多くの効果を有する。
ａ、本発明の用具を使用すれば、従来の手動式簡易ホチキスを用いてホチキス針を除去した際に除去したホチキス針がまわりに飛び散るようなことがなく、確実かつ完全にホチキス針を除去して収集処理することができる。
ｂ、本発明の用具には２個の磁石を用いているので、取りはずしたホチキス針を確実に収納ボックスに収納できるとともに除去針収納ケース内に完全に収納することができる。
ｃ、本発明用具はのホチキス針除去方式は、従来方式の引っかけて持ち上げる方式とは異り、ホチキス針に対して手前から水平方向にスライドするだけで、自動的にホチキス針が除去され収納することができるので従来方式よりも簡便で安全である。
ｄ、本発明用具の形状などをスマートにすることによって、見ばえもよくデザイン的にも良好な製品を提供することができる。
ｅ、本発明用具をプラスチック素材で一体成型することによって、安価で量産加工することができるので経済的にも優れ市場化には最適である。
【図面の簡単な説明】
【図１】本発明のホチキス針除去収集用具を示した針斜視図。
【図２】図１に示した本発明用具の分解組立図。
【図３】図１に示した本発明の断面図。
【図４】本発明用具の使用状態図。
【図５】本発明用具の使用状態図。
【図６】本発明用具の使用状態図。
【図７】本発明用具の使用状態図。
【図８】本発明用具の使用状態図。
【図９】本発明用具の使用状態図。
【図１０】本発明用具の成型状態図。
【図１１】本発明用具の収納状態図。
【図１２】本発明用具の収納状態図。
【図１３】従来の手動式簡易ホチキスの斜視図。
【符号の説明】
１  ホチキス針除去収集用具      ２  除去針収納ボックス
３  針除去金具                  ４  針吸着磁石金具
５  除去針収納ケース            ６、７  連着ワッカー
８  円形磁石                    ９  着脱蓋
１０  磁石金具係止弾材          １１  除去針落下口
１２  挿入穴                    ２１  ホチキス本体
２６  針除去部
Ａ  ホチキス針        Ｂ  用紙
Ｈ  手                Ｗ  ゴミ箱          Ｓ  ストラップ
Ｐ  用具収納ケース    Ｋ  収納ケース
Ｔ  ホチキス本体
【図１】
0004564129.tif 000002
【図２】
0004564129.tif 000003
【図３】
0004564129.tif 000004
【図４】
0004564129.tif 000005
【図５】
0004564129.tif 000006
【図６】
0004564129.tif 000007
【図７】
0004564129.tif 000008
【図８】
0004564129.tif 000009
【図９】
0004564129.tif 000010
【図１０】
0004564129.tif 000011
【図１１】
0004564129.tif 000012
【図１２】
0004564129.tif 000013
【図１３】
0004564129.tif 000014